(57)【要約】【課題】電力などのエネルギーを消費せず、長時間使用されても表面温度の上昇が継続的に抑制される下側寝具を提供する。【解決手段】下側寝具５ａは、長方形の平面形を有する布地２と、平面状展開鎖１０ａとを有している。布地２は、敷布団に敷かれるシーツと同じ程度の大きさの長方形の平面形を有する。平面状展開鎖１０ａは、布地２の短辺に平行に、布地２上に延べられ、布地２の長辺近傍で折り返され、布地２のほぼ全面に展開された真鍮製の鎖１で構成されている。鎖１は、布地２に糸３で縫い付けてある。【選択図】        図１
2018015439.tif 000002
【特許請求の範囲】
【請求項１】
人が横臥する面状領域に金属製の鎖を面状に配置したことを特徴とする下側寝具。
【請求項２】
前記鎖が、織られ若しくは編まれ、または布等のシート状物に固着され、平面上に展開されたときに平面状の形態になる平面状展開鎖をなしていることを特徴とする請求項１に記載の下側寝具。
【請求項３】
直接に、またはシーツ等の薄いシート状敷布を介して、人が横臥する部材を敷部材と称するとき、前記敷部材の主要部が前記平面状展開鎖でなることを特徴とする請求項２に記載の下側寝具。
【請求項４】
前記面状領域が長方形をなし、前記面状領域内であって、人の横臥が見込まれる範囲を含む領域に前記平面状展開鎖が配設してあることを特徴とする請求項２または３に記載の下側寝具。
【請求項５】
前記平面状展開鎖が織物であり、前記織物における緯糸または経糸の内の少なくとも一方の全部または一部が前記鎖でなることを特徴とする請求項２ないし４の何れかに記載の下側寝具。
【請求項６】
前記織物の表または裏の少なくとも一方の面に布が縫い付けてあることを特徴とする請求項５に記載の下側寝具。
【請求項７】
前記鎖が布等のシート状物に固着さているとき、前記鎖は、互いに平行に、密着して又は間隔を開けて前記シート状物に固着されていることを特徴とする請求項２ないし４の何れかに記載の下側寝具。
【請求項８】
前記平面状展開鎖は、前記シート状物上の一定領域における縁の間で前記鎖を折り返し配置することにより構成されていることを特徴とする請求項７に記載の下側寝具。
【請求項９】
前記平面状展開鎖は、前記鎖を前記シート状物上に渦巻き状に巻いて配置して構成されていることを特徴とする請求項７に記載の下側寝具。
【請求項１０】
前記平面状展開鎖は、表および裏の両面において前記シート状物に固着されていることを特徴とする請求項７ないし９のうちの何れかに記載の下側寝具。
【請求項１１】
前記鎖は、前記シート状物に縫い付けることにより、前記記シート状物に固着さていることを特徴とする請求項７ないし１０の何れかに記載の下側寝具。
【請求項１２】
前記平面状展開鎖を複数積層してなることを特徴とする請求項２ないし１１の何れかに記載の下側寝具。
【請求項１３】
前記面状領域が、マットレス、敷布団、ベッドパッド若しくは敷きパッド又は枕における横臥面部にあり、前記平面状展開鎖は前記横臥面部の上面層をなすか、または前記横臥面部において上面層をなす布状物もしくは寝心地向上用物の下側に組み込まれていることを特徴とする請求項２ないし１２の何れかに記載の下側寝具。
【請求項１４】
前記鎖は筒状の布製の袋に収納され、前記袋は内側面が前記鎖の外側面に密着する程度に細いことを特徴とする請求項１ないし１３のうちの何れかに記載の下側寝具。
【請求項１５】
前記鎖は、繊維製の糸と撚り合わされ、撚糸をなしていることを特徴とする請求項１ないし１４のうちの何れかに記載の下側寝具。
【請求項１６】
前記平面状展開鎖が、前記面状領域の中央領域を含む範囲に配置してあることを特徴とする請求項２ないし１５のうちの何れかに記載の下側寝具。
【発明の詳細な説明】
【技術分野】
【０００１】
本発明は、マットレス、敷布団、敷布、枕等と称され、就寝や休息のために人が横臥する際に、人の下側に置いて用いられる下側寝具に関し、特に、電力を使用せず、継続的に涼感を与える下側寝具に関する。
【背景技術】
【０００２】
室内の気温が２６〜２８度（℃、セ氏、セルシウス度）程度以上に高くなると、横になって就寝しようとしている人自身の体温により、人体の下側の寝具の表面温度が適温より高くなり、寝苦しい感覚を覚える人が多い。もちろん、寝苦しいと感じる室内温度は、人により、或いは地域や季節により異なり、一様ではない。就寝や休息のために、人が横になったときに、人体の下側に位置する寝具には、マットレス、敷布団、敷布、ベッドパッド、敷きパッド、枕、更にはこれらを包むシーツ、敷カバー、枕カバーなど各種の名で称されるものがあるが、本願ではこれら寝具を下側寝具と総称することとする。マットレスには、ベッド用ものと、畳や床の上に敷設されるものとがあるが、本願でいうマットレスは両方の用途のものの総称である。
【０００３】
室内温度が高い環境下では、横たわった人体に接触する下側寝具の表面温度が人体の温度（体温）に近い程度まで上昇する。エアコンディショナを使用すれば、室内温度は任意に調整できる。外気の温度が高くても、エアコンディショナにより室内温度を下げれば、上側寝具（掛け布団等）の外側の空気温度が下がり、人体を包む上側および下側の寝具の間の空気温度も下がり、下側寝具表面の温度は適温にまで下げられるので、体温の放散は容易になり、寝苦しさも解消され得る。しかし、エアコンディショナの運転は、電力を大量に消費するので、地球環境へ与える負荷が大きく、また経済的にも負担となる。
【０００４】
室内温度が高い環境下では、横たわった人体に接触する下側寝具の表面温度が人体の温度（体温）に近い温度まで上昇するので、下側寝具に接触する人体の部分（背中など）が熱いと感じる。このように、高い室内温度の環境下で、下側寝具に接触する人体の部分が熱いと感じるのは、下側寝具の伝わった人体の熱が、下側寝具における人体が接触する部分に熱が蓄積され、下側寝具における人体が接触する部分から他の個所へ放散され難くなるからである。
【０００５】
下側寝具における人体が接触する部分の表面温度の上昇を抑制するには、下側寝具自体の熱容量を大きくすることでも効果はある。熱容量の大きい下側寝具としてはウオーターマット（ウオーターベッド）やジェルマットが知られている。しかし、これら熱容量を大きくした下側寝具は、一部が破れると中の流動体が流れ出るので、取り扱いに注意を要するし、一般に重くて家庭での取扱に困難を感じることがあり、さらに、使用時間（人の横臥時間）の経過とともに熱が内部に蓄積され、人体が接触する部分の温度も次第に上昇し、涼感が失われるという根本的な課題がある。
【０００６】
他方、水（ウオーター）やジェルといった流動体を用いることなく、涼感を追求した下側寝具が提案されており、その例として、特許文献１（特開２００５-３４３０９３）に記載の繊維積層体がある。この繊維積層体は、繊維でなる基布（織地、編地、不織布等）に相転移物質を固定した相転移物質含有シートとシート状立体構造体（合成樹脂フィラメントを３次元状に編み上げた３次元構造網状体）とを積層してなる。
【先行技術文献】
【特許文献】
【０００７】
【特許文献１】特開２００５-３４３０９３
【発明の概要】
【発明が解決しようとする課題】
【０００８】
上述の特許文献１には、枕カバーおよび敷きパッドとして繊維積層体を用いた実施例が挙げてある。この実施例について、使用開始から約４０分間は、下側寝具の上面の温度が、単なるパイル地の布に比べて１℃程度低くなることを示すデータが記載されている。但し、使用時間が約４０分を過ぎると涼感効果がなくなるようであり、特許文献１の明細書段落００３５には、「本発明の繊維積層体によれば、使用開始から４０分間以上温度上昇抑制効果が持続するので、涼感を感じつつ入眠することが可能となる。」との記載がある。
【０００９】
しかしながら、使用開始から約４０分経過後には格別の涼感効果が期待できない特許文献１の繊維積層体を下側寝具に用いた場合、例え床に就いてから４０分以内に入眠はできたとしても、室内温度が高い環境では、入眠後間もなく下側寝具の温度が上昇し、寝苦しかったり、目が覚めたりすることは避けられない。
【００１０】
上述のように、従来の技術には、熱帯地方、亜熱帯地方、夏季の北半球のように、気温が高い環境では、エアコンディショナを使用すれば環境負荷や経済的負担の増大を招くし、ウオーターマットやジェルマットでは使用時間の経過とともに人体に接触する表面の温度が上昇するし、特許文献１に記載の繊維積層体では温度上昇抑制時間が４０分程度と短いといった解決するべき課題があった。
【００１１】
そこで、本発明は、かかる課題を解決するために、電力などのエネルギーを消費せず、長時間使用されても表面温度の上昇を継続的に抑制できる下側寝具の提供を目的とする。
【課題を解決するための手段】
【００１２】
前述の課題を解決するため、本発明による下側寝具は、主に次のような特徴的な構成を採用している。
【００１３】
（１）本発明による下側寝具は、人が横臥する面状領域に金属製の鎖を面状に配置したことを特徴とする。
（２）本発明による前記（１）に記載の下側寝具は、前記鎖が、織られ若しくは編まれ、または布等のシート状物に固着され、平面上に展開されたときに平面状の形態になる平面状展開鎖をなしていることを特徴とするものでもよい。
（３）本発明による前記（２）に記載の下側寝具は、直接に、またはシーツ等の薄いシート状敷布を介して、人が横臥する部材を敷部材と称するとき、前記敷部材の主要部が前記平面状展開鎖でなることを特徴とするものでもよい。
（４）本発明による前記（２）または（３）に記載の下側寝具は、前記平面状領域が長方形をなし、前記平面状領域において、人の横臥が見込まれる範囲を含む領域に前記平面状展開鎖が配設してあることを特徴とするものでもよい。
（５）本発明による前記（２）ないし（４）の何れかに記載の下側寝具は、前記平面状展開鎖が織物であり、前記織物における緯糸または経糸の内の少なくとも一方の全部または一部が前記鎖でなることを特徴とするものでもよい。
（６）本発明による前記（５）に記載の下側寝具は、前記織物の表または裏の少なくとも一方の面に布が縫い付けてあることを特徴とするものでもよい。
（７）本発明による前記（２）ないし（４）の何れかに記載の下側寝具は、前記鎖が布等のシート状物に固着さているとき、前記鎖は、互いに平行に、密着して又は間隔を開けて前記シート状物に固着されていることを特徴とするものでもよい。
（８）本発明による前記（７）に記載の下側寝具は、前記平面状展開鎖が、前記シート状物上の一定領域における縁の間で前記鎖を折り返し配置することにより構成されていることを特徴とするものでもよい。
（９）本発明による前記（７）に記載の下側寝具は、  前記平面状展開鎖が、前記鎖を前記シート状物上に渦巻き状に巻いて配置して構成されていることを特徴とするものでもよい。
（１０）本発明による前記（７）ないし（９）の何れかに記載の下側寝具は、前記平面状展開鎖が、表および裏の両面において前記シート状物に固着されていることを特徴とするものでもよい。
（１１）本発明による前記（７）ないし（１０）の何れかに記載の下側寝具は、前記鎖が、前記シート状物に縫い付けることにより、前記記シート状物に固着さていることを特徴とするものでもよい。
（１２）本発明による前記（２）ないし（１１）の何れかに記載の下側寝具は、  前記平面状展開鎖を複数積層してなることを特徴とするものでもよい。
（１３）本発明による前記（２）ないし（１２）の何れかに記載の下側寝具は、前記面状領域が、マットレス、敷布団、ベッドパッド若しくは敷きパッド又は枕若しくは枕カバーにおける横臥面部にあり、前記平面状展開鎖は前記横臥面部の上面層をなすか、または前記横臥面部において上面層をなす布状物もしくは寝心地向上用物の下側に組み込まれていることを特徴とするものでもよい。
（１４）本発明による前記（１）ないし（１３）の何れかに記載の下側寝具は、
前記鎖が筒状の布製の袋に収納され、前記袋が内側面が前記鎖の外側面に密着する程度に細いことを特徴とするものでもよい。
（１５）本発明による前記（１）ないし（１４）の何れかに記載の下側寝具は、前記鎖が、繊維製の糸と撚り合わされ、撚糸をなしていることを特徴とするものでもよい。
（１６）本発明による前記（１）ないし（１５）の何れかに記載の下側寝具は、前記平面状展開鎖が、前記平面状領域の中央領域を含む範囲に配置してあることを特徴とするものでもよい。
【発明の効果】
【００１４】
本発明によれば、電力などのエネルギーを消費せず、長時間使用されても表面温度の上昇が継続的に抑制される下側寝具を提供できる。
【図面の簡単な説明】
【００１５】
【図１】本発明の第１の実施形態である下側寝具を示す斜視図である。
【図２】本発明の第２の実施形態である下側寝具を示す斜視図である。
【図３】本発明の第３の実施形態である下側寝具を示す斜視図である。
【図４】本発明の第４の実施形態である下側寝具を示す斜視図である。
【図５】本発明の第５の実施形態である下側寝具の部分拡大平面図（Ａ）およびこの下側寝具で使用するＣカンを示す平面図（Ｂ）ある。
【図６】本発明の第６の実施形態である下側寝具の部分拡大平面図である。
【図７】本発明の第７の実施形態である下側寝具の部分を概念的に示す平面図である。
【図８】本発明の第８の実施形態である下側寝具の部分を概念的に示す平面図である。
【図９】平面状展開鎖１０付きの布地２を縫い付けられたシーツであり、マットレスに展張するための弾性バンド１１〜１４を設けた本発明の第９の実施形態である下側寝具を示す平面図である。
【図１０】本発明で用いられる鎖の一例の部分を示す平面図である。
【図１１】本発明で用いられる鎖の一例の部分を示す拡大平面図である。
【図１２】一般的なベッドの構成の一例を示す斜視図である。
【発明を実施するための形態】
【００１６】
以下、本発明による下側寝具の実施形態を挙げ、本発明を一層具体的に説明する。
【００１７】
図１は、本発明の第１の実施形態である下側寝具を示す斜視図である。図１の下側寝具５ａは、長方形の平面形を有する布地２と、平面状展開鎖１０ａとを有している。布地２は、マットレスや敷布団に敷くシーツと同じ程度の大きさである。平面状展開鎖１０ａは、布地２の上辺（図１における布地２の左側の縁）に平行に、布地２上に延べられ、布地２の側辺（図１における布地２の上側および下側の縁）近傍で折り返され、布地２のほぼ全面に展開された真鍮製の鎖１で構成されている。鎖１は、布地２に糸３で縫い付けてある。鎖１は、糸３により布地２に縫い付けられることにより、布地２に固着されている。鎖１が布地２に固着されることにより、鎖１が布地２と一体となっているので、布地２が平面状に展開されたとき、鎖１も平面状に展開される。平面状展開鎖１０ａは、布地２とともに展開され、或いは折りたたまれる。布地２は、厚手のシーツ等に使用される丈夫な織物でなるが、編物（メリヤス生地など）、不織布でも差し支えない。
【００１８】
布地２上に固着された鎖１は、布地２が平面状に展開されたとき、布地２と同じく平面状の形態となる。布地２の両側辺（図１における布地２の上側および下側の縁）近傍で折り返される鎖１は、折り返し部ではＵ字型をなし、その他の部分は直線状をなしている。この直線状の部分を以下では条と称している。そして、多数の条が平行に配列され、Ｕ字型の端部で隣接の条と繋がって平面状に展開された鎖１の全体が平面状展開鎖１０ａをなしている。鎖１の全体は、布地２が平面状に展開されたとき、布地２と一緒に平面状に展開される。そこで、本願では、鎖１の全体を平面状展開鎖と称している。
【００１９】
図１０は、本発明で用いられる鎖の一例の部分を示す平面図である。また、図１１は、本発明で用いられる鎖を構成する鎖素子の一例を示す拡大平面図である。図１１の鎖は、図１の実施の形態にも適用可能である。図１１では、連結された２つの鎖素子１００が示してある。図１における鎖１が、図１１に示した鎖素子１００を多数個連結してなる場合について次に説明する（なお、図１１の鎖素子１００は、図１０に示した鎖１における鎖素子とは形を少し異にするが、単純な形の鎖素子１００を多数連結して図１の鎖１を構成した場合について説明する。）。鎖素子１００の寸法は、例えば、線径Ａが０．３ｍｍ、内長Ｂが１ｍｍおよび内巾Ｃが０．４ｍｍ、外長Ｄが１．６ｍｍ、外巾Ｅが１ｍｍである。図１１には、２つの鎖素子１００の間に間隙１０２が描いてある、しかし、鎖１に張力が掛かったとき、２つの鎖素子１００は、その長手方向の端の内面で互いに接触し、この間隙１０２は無くなる。外巾Ｅが１ｍｍの鎖は、アクセサリのネックレスとして用いられている類のものであるが、本実施の形態における鎖１は、ネックレス用のものに比べて、格段に長い（後述の例では、鎖１の総延長は約４３００ｍｍ）。
【００２０】
上述のように、図１の下側寝具５ａでは、鎖１は、糸３で布地２に縫い付けられて、布地２に固着されている。図１１に示す鎖素子１００における孔１０１に糸を通し、鎖１を布地２にその糸で縫い付けることにより、鎖１は布地２に強固に固着される。また、糸を鎖素子１００の孔１０１に通すことなく、布地２上に線状に敷設した鎖１を糸が跨ぐようにして、糸３を布地２に縫い付けることにより、糸３で鎖１を布地２に縫い付けることもできる。図１の下側寝具５ａは、平面状展開鎖１０ａをなしている鎖１の右端（図１における右端）の一条に、糸３が鎖１を跨ぐように縫い付けた例である（実際は、平面状展開鎖１０ａにおける全ての条について、それぞれ糸３で鎖１を布地２に縫い付けるのであるが、全ての条の鎖１を布地２に縫い付ける糸３を描くと、図が煩瑣になるので、図１では、平面状展開鎖１０ａにおける図の右端の１条の鎖１を布地２に縫い付ける糸３だけが描いてある。）。糸３は、布地２の表から裏へ抜け、裏から表へ再び抜け、表裏間を抜ける度に鎖１を布地２に押し付け、鎖１を布地２に縫い付け、鎖１を布地２に固着している。
【００２１】
平面状展開鎖１０ａにおける各条の間隔（布地２における長手方向の両側辺（図１の下側の縁と上側の縁）との間で折り返される鎖１の直線部分の間隔）ａは、各条をなしている鎖１の中心線の間隔である。したがって、各条の鎖１を隣接の条の鎖１と重ならせることなく、鎖１を最も密集させたとき、間隔ａは鎖１の外巾Ｅ（図１１における外巾Ｅ）となり、各条をなす鎖１は隣接の条の鎖１と接触する。
【００２２】
図１２は、一般的なベッドの構成の一例を示す斜視図である。このベッドは、マットレス５１、ベッドフレーム５２および脚５３を基本構成とする。図１２のベッドは、更に、ベッドパッド（寝心地調整タイプ）５４、ベッドパッド（汗取りタイプ）５５、シーツ５６および敷パッド５７をマットレス５１上に、重ねてなる。
【００２３】
いま、図１２のベッドが、シングルベッドであり、マットレス５１の幅が１００ｍｍ、長さが２００ｍｍであるとする。図１の実施形態の下側寝具５ａが、図１２のシングルベッドに適用され、布地２が図１２のシーツ５６と同じ大きさであり、平面状展開鎖１０ａがマットレス５１の上面と同じ形であり、シーツ５６に代えて用いられる場合を考える。前述の条の間隔ａが５ｍｍであるとすると、鎖１が布地２上で折り返され回数は４０（＝２００ｍｍ／５ｍｍ）回、Ｕ字形をなす折り返し部分の個所数も４０箇所、平面状展開鎖１０ａにおける条（鎖１の直線部分）の数は４１（＝４０＋１）、各条の長さは１００ｍｍ（＝マットレス５１の横幅）、Ｕ字形をなす各折り返し部分の長さは約５ｍｍ（≒ａ）Ｕ字形の各折り返し部分の累計長さは２００（＝５＊４０）ｍｍ、となり、条（鎖１の直線部分）の累計長さが４１００（＝１００＊４１）ｍｍとなるので、鎖１の総延長は約４３００（＝４１００＋２００）ｍｍとなる。
【００２４】
このとき、図１の下側寝具５ａにおいて平面状展開鎖１０ａを構成する鎖１の外巾Ｅが、図１１を参照して前に例示したように、１ｍｍであれば、平面状展開鎖１０ａにおける鎖１の平面形が布地２上に占める面積は約４３００（１＊４３００）ｍｍ２（平方ミリメートル）となる。また、図１１を参照して前に例示したように、鎖１の内長Ｂが１ｍｍであれば、長さ約４３００ｍｍの鎖１を構成する鎖素子１００の個数は約４３００個となる（隣接する鎖素子１００の穴１０１の内側が接触し、間隙１０２が無くなった状態のとき。）。また、その鎖素子１００の各寸法が図１１を参照して前に例示した値であれば、１つの鎖素子１００の表面積は約３ｍｍ２（平方ミリメートル）となり、平面状展開鎖１０ａにおける約４３００個の鎖素子１００の累計表面積は約１２，９００ｍｍ２（平方ミリメートル）すなわち概略１．３ｍ２（平方メートル）となる。
【００２５】
図１の実施形態の下側寝具５ａは、就寝や休息のために横臥する人の体熱を大気中に放散する能力に優れている。室温が高い環境では、下側寝具における身体の下側面に接する部分の温度が体熱により高くなり、身体の下側面で熱く感じ、寝苦しくなることが多いことは前述のとおりである。真鍮製の鎖１が平面状に展開された平面状展開鎖１０ａを有する図１の本実施の形態の下側寝具５ａに横臥すれば、横臥した人の体熱は、平面状展開鎖１０ａにおける身体の下側面が接触する部分にまず伝わる。
【００２６】
鎖１においては、鎖素子１００（図１１参照）は、連結している隣接の鎖素子１００に常に接触している（図１１に示した間隙１０２の有無に拘らず。）。そこで、身体の下側面から最初に鎖素子１００に伝達された体熱は、熱伝導により、隣接の鎖素子１００に伝導し、次々と隣接の鎖素子１００に伝導する。そこで、体熱は、身体の下側面に接触する鎖素子１００に蓄積されず、身体の下側部分が当接する領域から平面状展開鎖１０ａにおける周縁領域に拡散する。体熱は、平面状展開鎖１０ａにおける身体の下側部分が当接する領域から平面状展開鎖１０ａにおける周縁領域に拡散する過程で、鎖１から空気に伝達され、空気中に放散される。したがって、横臥した人が接触する下側寝具の温度がその人自らの体熱により高くなり、身体の下側面で熱く感じ、寝苦しくなることは、図１の下側寝具５ａの使用により解消され、横臥した人は涼しさを感じることができる。
【００２７】
図１の平面状展開鎖１０ａにおける鎖１の条間隔ａは、鎖１における直線部分（条）の中心線の間隔である。平面状展開鎖１０ａにおける熱の放散効率は、隣接の条が互いに接触するとき、条間隔ａは鎖１の幅（図１１における鎖素子１００の外巾Ｅ）となる。条間隔ａが小さいほど平面状展開鎖１０ａにおける鎖１の密度が高くなるので、体熱の放散効率は高くなる。条間隔ａが鎖１の幅と等しくなり、平面状展開鎖１０ａにおける隣接条の鎖１が互いに接触すると、熱は、条方向だけでなく、条に直交する方向やその他の方向にも伝導されるので、体熱の放散効率は一層高くなる。
【００２８】
図１の実施形態における鎖１は、図１１に示すような多数の鎖素子１００を連結してなるが、その鎖素子１００が、線径Ａ：０．３ｍｍ、内長Ｂ：１ｍｍ、内巾Ｃ：０．４ｍｍ、外長Ｄ：１．６ｍｍ、外巾Ｅ：１ｍｍであり、条間隔ａが５ｍｍであるとき、平面状展開鎖１０ａが図１２のマットレス５１（シングルベッド用とする。）の上面と同じ形であるおき、鎖１の全表面積は概略１．３ｍ２（平方メートル）であると、上に延べた。この条間隔ａを１ｍｍに狭めると、平面状展開鎖１０ａにおける各条は互いに接触し、鎖１の全表面積は概略１．３ｍ２（平方メートル）の５倍となり、６．５ｍ２に増大し、体熱の放散性能は大幅に向上する。このとき、鎖１の全表面積が５倍に増えるだけではなく、熱の伝導方向が、条方向だけではなく、全方向となるので、体熱の放散性能は一層大幅に向上する。
【００２９】
図１の実施形態では、平面状展開鎖１０ａにおける条は、布地２の短辺（図１の布地２における左右の辺）に平行である。しかし、平面状展開鎖１０ａにおける条は、布地２の長辺（図１の布地２における上下の辺）に平行であっても差し支えない。
【００３０】
図１の実施形態では、条間隔ａは鎖１の幅（図１１の外巾Ｅ）と同じ値まで小さくすることが可能である旨を以上には説明したが、条間隔ａは鎖１の幅より小さくすることも可能である。条間隔ａを鎖１の幅より小さくすると、平面状展開鎖１０ａにおける各条は隣接の条と重なり合う。このとき、熱伝導に寄与する鎖１の密度が増し、平面状展開鎖１０ａの熱放散効率は更に大きくなる。
【００３１】
また、図１の実施形態では、平面状展開鎖１０ａにおける条は、布地２の短辺（図１の布地２における左右の辺）に平行であるが、平面状展開鎖１０ａにおける条は、布地２の長辺（図１の布地２における上下の辺）に平行であっても差し支えないと述べたが、平面状展開鎖１０ａを２枚用い、一方を下層とし、他方を上層とする２層構造とした下側寝具として構成しても差し支えない。２層構造の平面状展開鎖１０ａを有する下側寝具では、下層と上層との条の向きは、互いに直交するようにしてもよいし、互いに平行（同じ方向）としても差し支えない。もちろん、２層構造に限らず、３層構造やそれ以上の多層構造の平面状展開鎖１０ａを有する下側寝具として構成しても差し支えない。平面状展開鎖１０ａを多層構造としたとき、全ての層の平面状展開鎖１０ａと布地２とを糸３で刺し通して糸３で縫い付けることにより、多層構造の平面状展開鎖１０ａと布地２との全体が下側寝具として一体化する。この多層構造の平面状展開鎖１０ａを有する下側寝具は、図１の実施形態の第１の変形例である。
【００３２】
さらに、図１の下側寝具５ａを２枚作成し、それら２枚の下側寝具５ａにおける平面状展開鎖１０ａの位置を揃えて、両下側寝具５ａを重ね合せ、互いに縫い合わせて、２層の平面状展開鎖１０ａを有する新たな下側寝具として構成しても差し支えない。２層の平面状展開鎖１０ａを有するその下側寝具を構成するには、布地２の片面に平面状展開鎖１０ａを形成した図１の下側寝具５ａを２枚重ねる。いま、２枚の下側寝具５ａを第１および第２の下側寝具と称することとする。そして、第１の下側寝具は第１の平面状展開鎖１０ａおよび第１の布地２でなり、第２の下側寝具は第２の平面状展開鎖１０ａおよび第２の布地２でなるものとする。このとき、２つの図１の下側寝具５ａは、図１と同じ向きに重ね合せ、上から第１の平面状展開鎖１０ａ、第１の布地２、第２の平面状展開鎖１０ａ、第２の布地２という順に位置するようにしてもよい。或いは、２つの図１の下側寝具５ａの内の一方は、図１の表裏を逆にし、他方は図１と同じ向きとして重ね合せ、上から第１の布地２、第１の平面状展開鎖１０ａ、第２の平面状展開鎖１０ａ、第２の布地２という順に位置するようにしてもよい。図１の下側寝具５ａを２枚重ねるだけでなく、３枚或いはそれ以上を重ね、互いに縫い合わせ、平面状展開鎖１０ａ及び布地２を多層に有する多層構造の構成とすることも可能である。平面状展開鎖１０ａ及び布地２を多層に有する多層構造の下側寝具は、図１の実施形態の第２の変形例である。
【００３３】
図１の実施形態の下側寝具５ａは、前述のように、図１２のベッドにおけるシーツ５６に代えて使用できるだけでなく、シーツ５６の下または上に敷いてもよいし、敷パッド５７に代えても使用でき、敷パッド５７の上に敷いてもよい。更に、図１２におけるベッドパッド５４，５５、敷パッド５７を除き、シーツ５６の下であってマットレス５１の上面に敷いてもよく、シーツ５６も除いて、マットレス５１の上面に直接に敷いてもよい。下側寝具５ａは、図１に図示するように、平面状展開鎖１０ａが布地２の上側に位置するように敷いてもよいし、或いは平面状展開鎖１０ａが布地２の下側に位置するように敷いてもよい。また、図１の実施形態の下側寝具５ａは、敷布団の上に敷いてもよい。敷布団の上に敷かれた下側寝具５ａが、横臥する人に涼感をもたらすことは、マット上に敷く場合と同様である。敷布団とともにシーツを用いるとき、下側寝具５ａはシーツの下側または上側の何れに敷いてもよい。
【００３４】
図１の実施形態の下側寝具５ａでは、前述のように、鎖１が細い（その幅が１ｍｍ）ので、鎖１の鎖素子１００が小さい。そこで、平面状展開鎖１０ａが布地２の上側に位置するように敷いて、下着やパジャマを着た状態で平面状展開鎖１０ａ上に横臥しても、格別な違和感を覚えることはない。もっとも、布地２が平面状展開鎖１０ａの上側に位置するように敷いても、布地２に伝達した体熱は直ぐに下側の平面状展開鎖１０ａの鎖１に伝達されるので、体熱放散効果において、平面状展開鎖１０ａが布地２の上側に位置するように敷いた場合とさしたる相違はない。なお、図１の実施形態では、平面状展開鎖１０ａは下側の布地２だけに縫い付けてあるが、平面状展開鎖１０ａの上側にも布地を敷設し、この上側の布地と、平面状展開鎖１０ａと、下側の布地２とを刺し通すように糸を通し、３つの部材を一体的に縫い付けた下側寝具を構成してもよい。
【００３５】
図２は、本発明の第２の実施形態である下側寝具を示す斜視図である。図１の下側寝具５ｂは、長方形の平面形を有する布地２と、平面状展開鎖１０ｂとを有している。布地２は、図１の実施形態と同じものである。平面状展開鎖１０ｂは、布地２の上辺（図２における布地２の左側の縁）に平行に、一定の間隔ｂを互いに隔てて、布地２上に並べられた真鍮製の鎖１１，１２，１３，１４，・・・・でなる。これら真鍮製の鎖１１，１２，１３，１４，・・・・は、糸で布地２に縫い付けられ、布地２に固着されている点は、図１の実施形態の鎖１が糸３で布地２に縫い付けられているのと同様である（図２では、その糸の図示は省略してある。）。図１の実施形態では、長い鎖1が布地２の側辺（図１における布地２の上側および下側の縁）近傍で、多数回に亘って折り返されることにより、平面状展開鎖１０ａが構成されている。これに対し、図２の実施形態では、長さが布地２の幅よりやや短い多数の直線状鎖１１，１２，１３，１４，・・・・を、一定の間隔ｂで、布地２上に互いに平行に並べて配置することにより平面状展開鎖１０ｂを構成している。図１における鎖１の折り返し部分はＵ字形状をなしているが、この。図１における鎖１におけるＵ字形状の折り返し部分を除去したものが、図２の実施形態における平面状展開鎖１０ｂに相当している。したがって、図１の実施形態と図２の実施形態とは、鎖の配列形態が相違するが、その他の点では、同様であり、図１の実施形態について述べたことが図２の実施形態にも適用できる。
【００３６】
図３は、本発明の第３の実施形態である下側寝具を示す斜視図である。図３の下側寝具５ｃは、長方形の平面形を有する布地２と、平面状展開鎖１０ｃとを有している。布地２は、図１の実施形態と同じものである。平面状展開鎖１０ｃは、布地２の４つの辺に平行に、一定の間隔ｃを互いに隔てて、布地２上に渦巻き状に延べられた真鍮製の鎖１でなる。鎖１は、糸で布地２に縫い付けられ、布地２に固着されている点は、図１の実施形態の鎖１が糸３で布地２に縫い付けられているのと同様である（図３では、その糸の図示は省略してある。）。図１の実施形態では、長い鎖1を布地２の側辺（図１における布地２の上側および下側の縁）近傍で、多数回に亘って折り返すことにより、平面状展開鎖１０ａを構成している。これに対し、図３の実施形態では、鎖１を渦巻き状に布地２上に展開することにより、平面状展開鎖１０ｃを構成している。図３における符号ｃで示す間隔は、渦巻き状に延べられた鎖１における各巻回の鎖１の間隔（鎖１における各巻回の中心線間の距離）を示している。図１の実施形態と図３の実施形態とは、鎖の配列形態が相違するが、その他の点では、同様であり、図１の実施形態について述べたことが図３の実施形態にも適用できる。
【００３７】
図４は、本発明の第４の実施形態である下側寝具を示す斜視図である。図４の下側寝具５ｄは、長方形の平面形を有する布地２と、平面状展開鎖１０と、弾性バンド１１〜１４を有している。布地２は、図１の実施形態と同じものである。平面状展開鎖１０は、図１ないし図３に示した平面状展開鎖１０ａ，１０ｂまたは１０ｃのうちの何れかで構成してある。弾性バンド１１，１２，１３および１４の本体部は、細いゴムを繊維の糸で包んでなるいわゆるゴムバンドでなり、布地２の裏側に各端部が縫い付けてある。弾性バンド１１，１２，１３および１４の各先端部は、それぞれマジックテープ（登録商標）１１ａ，１２ａ，１３ａおよび１４ａでなる。図４の実施形態の下側寝具は、平面状展開鎖１０が敷布団の上に位置するように、敷布団上に敷き、敷布団の下側において、弾性バンド１１のマジックテープ１１ａと弾性バンド１３のマジックテープ１３ａとを接続し、また同様に、弾性バンド１２のマジックテープ１２ａと弾性バンド１４のマジックテープ１４ａとを接続する。このとき、弾性バンド１１，１２，１３および１４の本体部が伸ばされ、平面状展開鎖１０に張力が加わるように、弾性バンド１１，１２，１３および１４の長さが設定してある。平面状展開鎖１０に張力が加わることにより、平面状展開鎖１０における鎖における各鎖素子が連結されている隣の鎖素子に圧接されるので、鎖における熱の伝達効率が向上する。また、平面状展開鎖１０に張力が加わることにより、敷布団上おける平面状展開鎖１０の位置が安定し、就寝中に、平面状展開鎖１０が人体の下側からずれたり、平面状展開鎖１０に皺がよったりすることを防ぐことができる。また、図４の実施形態は、敷布団に代えて、マットレス上に敷くときにも好適に適用できる。
【００３８】
図５（Ａ）は、本発明の第５の実施形態である下側寝具を示す部分拡大平面図である。図５（Ａ）の下側寝具５ｅは、真鍮製の鎖１１，１２，１３，１４，・・・・を、平行に配列し、Ｃ（シー）カン２００で隣接の鎖と連結し、平面状に展開した平面状展開鎖で構成される。鎖１１，１２，１３，１４，・・・・は、一定の長さであり、図２の実施形態の下側寝具５ｂにおけるものと同様に、互いに平行に配列される。そして、それらの鎖１１，１２，１３，１４，・・・・は、隣のものと接触させてある。このとき、鎖の中心線の間隔ｂは、鎖の幅Ｅと同じになる。
【００３９】
図５（Ｂ）は、図５（Ａ）の下側寝具５ｅにおけるＣカン２００の平面図（図５（Ａ）の紙面に平行な方向であって、かつ図５（Ａ）の右側からＣカン２００を見た図）である。Ｃカン２００は、真鍮製のＣ字型の環状体であるが、環の途中に切れ目２０１がある。Ｃカン２００を捩ることにより、切れ目２０１に隙間を作り、鎖を構成する鎖素子１００の環をその切れ目２０１に通し、同時に隣の鎖の鎖素子１００の環もその切れ目２０１に通し、前記捩れを元に戻し、切れ目２０１の隙間をなくすることにより、Ｃカン２００による隣接鎖相互の連結が行われる。図５（Ａ）の下側寝具５ｅは、布地を用いることなく、多数の線状の鎖を隣接させて、Ｃカン２００で互いに連結することにより、平面展開鎖を構成してなる。
【００４０】
図６は、本発明の第６の実施形態である下側寝具を示す部分拡大平面図である。図６の下側寝具５ｆは、図５（Ａ）の下側寝具５ｅにおけるＣカン２００に代えて、糸３００を有し、その他の点は図（Ａ）５の実施形態と同様である。図６の下側寝具５ｆは、真鍮製の鎖１１，１２，１３，１４，・・・・を平行に配列し、糸３００により隣接の鎖を互いに連結し、多数の鎖１１，１２，１３，１４，・・・・を平面状に展開した平面状展開鎖を構成したものである。符号３０１は糸３００の結び目を示す。糸３００には、ナイロン製などの引っ張り強さの大きいものを用いる。
【００４１】
図７は、本発明の第７の実施形態である下側寝具の部分を概念的に示す平面図である。図７に示す実施形態の下側寝具５gは、経糸鎖４１と緯糸鎖４２とを織ってなる鎖製の織物で平面状展開鎖を構成している。経糸鎖４１および緯糸鎖４２は、図１の実施の形態で用いた鎖１と同じように真鍮製の細い鎖（例えば、鎖の幅が１ｍｍ）でなる。図７では、織物の概念の理解を容易にするために、隣り合う経糸鎖４１相互の間隔αを経糸鎖４１の幅に比べ大きく描き、同様に、隣り合う緯糸鎖４２相互の間隔βを緯糸鎖４２の幅に比べ大きく描いてある。間隔αおよびβは、どの程度の放熱性能を必要とするかに応じて選択する。鎖の幅に対する間隔αおよびβを小さくする程に鎖の密度が高まり、放熱性能も向上する。図７の下側寝具は、経糸および緯糸として鎖を用い、それら鎖を織ってなる鎖織物でもって平面状展開鎖を構成したものである。図７の実施形態の変形例として、それらの経糸または緯糸の一部を繊維製の糸とし、残りの経糸または緯糸を鎖で構成してもよい。或いは、経糸は全て繊維製の糸とし、緯糸の全部または一部を鎖で構成してもよい。
【００４２】
図８は、本発明の第８の実施形態である下側寝具の部分を概念的に示す平面図である。図８に示す実施形態の下側寝具５ｈは、鎖１を編んでなる編物でもって平面状展開鎖を構成している。図８の下側寝具５ｈにおける鎖１は、図１の実施の形態で用いた鎖１と同じように真鍮製の細い鎖（例えば、鎖の幅が１ｍｍ）でなる。図８には、鎖１だけで編んだ編物でもって平面状展開鎖を構成した例を示した。他方、図８の実施形態の変形例として、編物の平面状展開鎖における糸の一部を繊維製の糸とし、繊維製の糸と鎖との混紡の編物でもって下側寝具を構成することもできる。
【００４３】
図５ないし図８に示した第５ないし第８の実施形態の下側寝具では、図１ないし図４の実施形態の下側寝具で備えていた布地２を用いることなく、平面状展開鎖を構成している。図５ないし図８に示した平面状展開鎖は、図１ないし図４の下側寝具における平面状展開鎖１０ａ，１０ｂ，１０ｃまたは１０に代えて布地２に縫い付けて、布地付きの下側寝具とすることができる。特に、図４の下側寝具５ｄにおける平面状展開鎖１０として図５ないし図８に示した平面状展開鎖を用いれば、平面状展開鎖が敷布団等の上に敷かれたとき、動いたり、皺になったりすること避けられる。
【００４４】
図９は、平面状展開鎖１０付きの布地２を縫い付けられたシーツであり、マットレスに展張するための弾性バンド１１〜１４を設けた本発明の第９の実施形態である下側寝具を示す平面図である。平面状展開鎖１０としては、図１ないし図３の平面状展開鎖１０ａないし１０ｃ、または図５ないし図８に示した第５ないし第８の実施形態における平面状展開鎖（図５ないし図８では、平面状展開鎖自体が下側寝具５ｅないし５ｈをなしている。）が用いられる。布地２としては、図１ないし図３の実施形態における布地２が用いられる。シーツ５６は、図１２のマットレス５１の下側まで巻き込まれるだけの幅および長さを有する。平面状展開鎖１０、布地２およびシーツ５６は、互いに縫い付けられている。
【００４５】
シーツ５６には、マジックテープ１１ａ，１２ａ，１３ａおよび１４ａがそれぞれ先端部に設けられた弾性バンド１１〜１４が縫い付けられている。マットレス５１の下側において、弾性バンド１１のマジックテープ１１ａと弾性バンド１３のマジックテープ１３ａとを接続し、また同様に、弾性バンド１２のマジックテープ１２ａと弾性バンド１４のマジックテープ１４ａとを接続する。このとき、弾性バンド１１，１２，１３および１４の本体部が伸ばされ、平面状展開鎖１０に張力が加わるように、弾性バンド１１，１２，１３および１４の長さが設定してある。平面状展開鎖１０に張力が加わることにより、平面状展開鎖１０における鎖における各鎖素子が連結されている隣の鎖素子に圧接されるので、鎖における熱の伝達効率が向上する。また、平面状展開鎖１０に張力が加わることにより、マットレス５１上おける平面状展開鎖１０の位置が安定し、就寝中に、平面状展開鎖１０が人体の下側からずれたり、平面状展開鎖１０に皺がよったりすることを防ぐことができる。
【００４６】
以上には、マットレス、敷布団、敷布、ベッドパッド、敷きパッドいった人体の全体を横臥させるのに適した下側寝具の実施形態について説明したが、本発明の下側寝具は枕にも適用できる。例えば、図１の実施形態における平面状展開鎖１０ａの大きさを、人の頭部が接触して乗せられる枕の円筒形の部分全体に巻きつけられる程度とし、平面状展開鎖１０ａで枕本体の円筒形の部分全体を包むことにより、熱がこもり難い枕とすることができる。このとき、平面状展開鎖１０ａが直接に頭部に接触するのを避けるために、布地２が平面状展開鎖１０ａより外側になるように枕本体に巻きつけることが好ましい。同様に、図１の実施形態におけるが平面状展開鎖１０ａを、布地２および別の布地で挟んで層状体を構成し、その層状体を枕カバーして用いてもよい。図１の実施形態だけでなく、他の実施形態の下側寝具も同様に、枕または枕カバーに適用できる。
【００４７】
また、以上に実施の形態を挙げ、本発明を具体的に説明したが、本発明がこれら実施の形態に限定されるものでないことは勿論である。例えば、実施の形態では、鎖は真鍮製であるとしたが、鎖の材料は金属であればよく、鎖の材料は、真鍮に限られず、鉄、アルミニューム、銅、ステンレス、或いは各種の合金でも差し支えない。更に、本発明の鎖は、金属にクロムやニッケルなどでメッキを施したものでも差し支えない。
【００４８】
上述の実施の形態では、鎖としては図１０に示すような単純な形態のものを挙げたが、鎖には各種の形態のものがあり、本発明の下側寝具は各種の鎖を用いて作成できる。本発明で利用可能な鎖としては、例えば、キヘイ（喜平）チェーン、アズキチェーン、ベネチアンチェーン等と称されているものがある。
【００４９】
上述の実施の形態では、鎖として、図１１に示すような鎖素子１００を多数個連結してなるものであって、その鎖素子１００が、線径Ａが０．３ｍｍ、外長Ｄが１．６ｍｍ、外巾Ｅが１ｍｍのものを例示したが、本発明では鎖の寸法としては各種の大きさものが利用可能であり、例えばキヘイチェーンのように表面が平らに揃う形態の鎖であれば、外巾Ｅが５ｍｍ程度とやや大きくても人体の下側に違和感を与えないものを製作することも可能である。
【００５０】
上述の実施の形態では、図１ないし図４に示した平面状展開鎖は布地２に縫い付けられ、図５ないし図８に示した平面状展開鎖（下側寝具と実質同じもの）は、そのまま、或いは別の布地に縫い付けて、マットレスや敷布団の上に敷いたり、或いは図９に例示したようにシーツに縫い付けて、シーツと一体でマットレス上に敷いたりする形態で使用する例を挙げた。しかし、本発明の下側寝具は、平面状展開鎖をマットレスや敷布団の内部に、マットレスや敷布団の表面に平行な層として、組み込むことによっても、構成することができる。その層は、体熱放散層として機能し、高温環境下においてマットレスや敷布団の涼感向上に大きく寄与することができる。マットレスや敷布団の上面側の層として寝心地向上用のクッション材が設けてあり、平面状展開鎖をそのクッション材の下側に体熱放散層として設ける構成にした本発明の下側寝具であれば、その平面状展開鎖における鎖の幅や長さは、かなり大きくても（例えば、幅及び長さが１０ｍｍの鎖）、差し支えない。
【００５１】
図１や図３の実施の形態における鎖は長い１本で構成してもよいが、複数本を連続して配列することにようにしても差し支えない。また、上述の実施の形態では、金属製の部分だけでなる鎖を示したが、本発明では、繊維製の糸を撚り合わされた金属製の鎖や、鞘状の布で包まれた金属製の鎖を用いることもできる。
【００５２】
上述の実施の形態で例示した平面状展開鎖１０ａ，１０ｂ，１０ｃ、１０は平面形が矩形であったが、本発明における平面状展開鎖の平面形は矩形である必要はなく、任意である。また、本発明における平面状展開鎖では、鎖の密度は均一である必要はなく、例えば中心領域の密度を高くし、周辺領域の密度を低くしてもよい。
【００５３】
以上に実施の形態を挙げ、本発明を具体的に説明したところから明らかなように、本発明の下側寝具は、人が横臥する平面状領域に金属製の鎖を平面状に配置してなるので、人体の下側に伝達された人体の熱を、金属製の鎖が平面状に配置された平面状領域の周縁に伝達し、その伝達の過程で熱を空中に放散し、人体の下側に熱が蓄積されることを防ぎ、人体の下側が接触する部分の表面温度の上昇を抑制し、高温環境下においても涼感をもたらすことができる。本発明によるこのような顕著な効果は、熱伝導率が高く、熱放散には有用であるが、硬くて、人体が横臥する下側寝具としては利用されていなかった金属を、鎖という柔軟性に富む形態とし、その鎖を平面状領域に平面状に配置することにより、平面状に配置された鎖の上面に横臥する人体の体熱を面（平面状に配置された鎖の上面）で受けて、その面の周縁に熱を伝達させることにより、人体に接触する部分に熱が蓄積するのを防ぐという、本発明の特徴的な構成によりもたらされている。
【符号の説明】
【００５４】
１，１１，１２，１３，１４，１５    鎖
２    布地
３    糸
５ａ，５ｂ，５ｃ，５ｄ，５ｅ，５ｆ，５g，５ｈ    下側寝具
１０，１０ａ，１０ｂ，１０ｃ，１０ｄ    平面状展開鎖
１１〜１４    弾性バンド
１１ａ，１２ａ，１３ａ，１４ａ    マジックテープ
４１    経糸鎖
４２    緯糸鎖
５１    マットレス
５２    ベッドフレーム
５３    脚
５４    ベッドパット（寝心地調整タイプ）
５５    ベッドパット（汗取りタイプ）
５６    シーツ
５７    敷パッド
１００    鎖素子
１０１    鎖素子の孔
１０２    間隙
２００    Ｃカン
２０１    Ｃカン２００における切れ目
３００    糸
３０１    糸３００の結び目
【図１】
2018015439.tif 000003
【図２】
2018015439.tif 000004
【図３】
2018015439.tif 000005
【図４】
2018015439.tif 000006
【図５】
2018015439.tif 000007
【図６】
2018015439.tif 000008
【図７】
2018015439.tif 000009
【図８】
2018015439.tif 000010
【図９】
2018015439.tif 000011
【図１０】
2018015439.tif 000012
【図１１】
2018015439.tif 000013
【図１２】
2018015439.tif 000014